(57)【要約】【課題】本発明は、本体部の貫通孔を閉塞する支持部材を簡易な構造で固定できる糸止め装置を提供することを課題とする。【解決手段】本発明に係る糸止め装置８は、釣糸係止部２１と支軸部２２とを有する糸止め部材２０と、糸止め部材２０を支持し、魚釣用リールの本体部に形成された貫通孔９を閉塞する支持部材１０と、を備える魚釣用リールの糸止め装置８であって、支持部材１０の一端部は支軸部２２に貫通されて糸止係止部２１が当接し、支持部材１０の一端部が貫通孔９の貫通方向に移動することを規制する第１規制部４１と、支持部材１０の他端部と貫通孔９の周縁部１２とが係合し、支持部材１０の他端部が貫通孔９の貫通方向に移動することを規制する第２規制部４２と、を備えていることを特徴とする。【選択図】図２
2018050552.tif 000002
【特許請求の範囲】
【請求項１】
釣糸係止部と支軸部とを有する糸止め部材と、
前記糸止め部材を支持し、魚釣用リールの本体部に形成された貫通孔を閉塞する支持部材と、を備える魚釣用リールの糸止め装置であって、
前記支持部材の一端部は前記支軸部に貫通されて前記糸止係止部が当接し、前記支持部材の一端部が前記貫通孔の貫通方向に移動することを規制する第１規制部と、
前記支持部材の他端部と前記貫通孔の周縁部とが係合し、前記支持部材の他端部が前記貫通孔の貫通方向に移動することを規制する第２規制部と、
を備えていることを特徴とする魚釣用リールの糸止め装置。
【請求項２】
前記支持部材の他端部及び前記貫通孔の周縁部の一方には、凹部が形成され、
前記支持部材の他端部及び前記貫通孔の周端縁の他方には、前記凹部と係合する凸部が形成されていることを特徴とする請求項１に記載の魚釣用リールの糸止め装置。
【請求項３】
前記支軸部と係合して前記糸止め部材が前記本体部から分離することを防止する係合部材を備え、
前記係合部材は、前記支軸部を内側に常時付勢していることを特徴とする請求項１又は請求項２に記載の魚釣用リールの糸止め装置。
【請求項４】
前記支持部材は、前記一端部と前記他端部とを繋ぐ側部を有し、
前記支持部材の側部と前記貫通孔の周縁部とが係合し、前記支持部材の側部が前記貫通孔の貫通方向に移動することが規制する第３規制部を備えていることを特徴とする請求項１から請求項３のいずれか１項に記載の魚釣用リールの糸止め装置。
【発明の詳細な説明】
【技術分野】
【０００１】
本発明は、魚釣用リールの糸止め装置に関する。
【背景技術】
【０００２】
魚釣用リールには、スプールに巻回された釣糸が弛まないようにするため、釣糸を係止できる糸止め装置が設けられている。
例えば、魚釣用スピニングリールの糸止め装置は、スプールのスカート部の外周面に配置された糸止め部材により構成されている。
この糸止め部材は、スカート部の外周面から径方向外側に延びる支軸部と、支軸部の先端に設けられた釣糸係止部と、を備えている。そして、支軸部に釣糸を巻き付けたり、又は釣糸係止部とスカート部と間に釣糸を挟み付けたりすることで、釣糸が係止するようになっている。
【０００３】
また、下記特許文献１の糸止め装置では、糸止め部材とスカート部との間に、樹脂製の支持部材が設けられている（特許文献１の図１参照）。これによれば、釣糸を糸止め部材に係止させる場合、釣糸が金属製のスカート部に接触しなくなり、釣糸に傷が付くことが抑制される。
【０００４】
一方で、上記した支持部材を設けると、糸止め部材が径方向外側に配置され、釣糸が引っ掛かるおそれがある。
よって、下記特許文献１の糸止め装置の変形例は、支持部材を収容するための凹部をスカート部の外周面に形成している（特許文献１の図９参照）。
また、下記特許文献２の糸止め装置では、支持部材を収容するための貫通孔をスカート部に形成している。
【０００５】
なお、下記特許文献２の糸止め装置では、貫通孔を形成していることから、支持部材を径方向内方から支持する底壁がない。よって、支持部材には、スカート部（本体部）内に延びる支持部材用の支軸部を形成している。そして、糸止め部材の支軸部と支持部材の支軸部をスプール軸方向に重ね合わせ、ねじで固定している（特許文献２の図７参照）。
【先行技術文献】
【特許文献】
【０００６】
【特許文献１】実開平５−１３１６６号公報
【特許文献２】特開２００１−２６９０９４号公報
【発明の概要】
【発明が解決しようとする課題】
【０００７】
しかしながら、上記特許文献１の変形例によれば、スカート部において凹部近傍の壁部は、支持部材を収容するための凹部と、凹部に収容された支持部材を支持するための底壁と、を併せた厚みとなる。このため、壁部が肉厚となり、スプールの重量化を招く。
一方で、特許文献２の糸止め装置のように、スカート部に貫通孔を形成したとしても、その貫通孔が閉塞されていないと、糸止め部材が径方向内方に変形して糸止めし難いと共に、異物や釣糸がスカート部内に侵入するおそれがある。
以上から、スカート部（本体部）に貫通孔を形成する一方で、支持部材が貫通孔を閉塞できることが望まれている。
【０００８】
また、特許文献２の固定構造のように、糸止め部材の支軸部と支持部材の支軸部がスプール軸方向に重なると、スプールの前後動の際にロータ前部と接触するおそれがある。そして、ロータ前部との接触を回避しようとすると、スカート部が大型化したり、スプール、ロータの形状や寸法等に制約が生じてしまう。
以上から、支持部材に支軸部を形成することなく、簡易に固定できる構造が望まれている。
【０００９】
本発明は、このような課題を解決するために創作されたものであり、本体部に貫通孔を形成する一方で、その貫通孔を閉塞する支持部材を簡易な構造で固定できる魚釣用リールの糸止め装置を提供することを課題とする。
【課題を解決するための手段】
【００１０】
前記課題を解決するため、本発明に係る魚釣用リールの糸止め装置は、釣糸係止部と支軸部とを有する糸止め部材と、前記糸止め部材を支持し、魚釣用リールの本体部に形成された貫通孔を閉塞する支持部材と、を備える魚釣用リールの糸止め装置であって、前記支持部材の一端部は前記支軸部に貫通されて前記糸止係止部が当接し、前記支持部材の一端部が前記貫通孔の貫通方向に移動することを規制する第１規制部と、前記支持部材の他端部と前記貫通孔の周縁部とが係合し、前記支持部材の他端部が前記貫通孔の貫通方向に移動することを規制する第２規制部と、を備えていることを特徴とする。
【００１１】
前記発明によれば、本体部に凹部ではなく貫通孔を形成するため、凹部近傍の壁部の肉厚化を回避できる。また、支持部材が貫通孔を閉塞するため、本体部内に異物等が侵入することを回避できる。
さらに、支持部材の一端部は、第１規制部により糸止め部材（釣糸係止部）により貫通孔の貫通方向への移動が規制され、他端部は、第２規制部により貫通孔の周端縁との係合により貫通孔の貫通方向への移動が規制されることから、簡易な構造により支持部材を本体部に固定できる。
【００１２】
また、前記発明において、前記支持部材の他端部及び前記貫通孔の周縁部の一方には、凹部が形成され、前記支持部材の他端部及び前記貫通孔の周端縁の他方には、前記凹部と係合する凸部が形成されていることが好ましい。
【００１３】
前記構成によれば、簡易な構成で支持部材の他端部及び貫通孔の周端縁を係合させることができる。
【００１４】
また、前記発明において、前記支軸部と係合して前記糸止め部材が前記本体部から分離することを防止する係合部材を備え、前記係合部材は、前記支軸部を内側に常時付勢していることが好ましい。
【００１５】
前記構成によれば、釣糸規制部が付勢力を持って支持部材の一端部に当接するため、支持部材を本体部に固定する固定強度が高くなる。
【００１６】
また、前記発明において、前記支持部材は、前記一端部と前記他端部とを繋ぐ側部を有し、前記支持部材の側部と前記貫通孔の周縁部とが係合し、前記支持部材の側部が前記貫通孔の貫通方向に移動することが規制する第３規制部を備えていることが好ましい。
【００１７】
前記構成によれば、貫通方向への移動を規制するための構成が増えるため、支持部材を本体部に固定する固定強度が高くなる。
【発明の効果】
【００１８】
以上から、本体部に貫通孔を形成する一方で、貫通孔を閉塞する支持部材を簡易な構造で固定できる魚釣用リールの糸止め装置を提供することができる。
【図面の簡単な説明】
【００１９】
【図１】（ａ）は実施形態の魚釣用スピニングリールの全体構成を示す側面図であり、（ｂ）は図１の破線ＩＢで囲まれた範囲を左前の上側から斜視した斜視図である。
【図２】糸止め装置の断面図である。
【図３】糸止め装置を上方から視た平面図である。
【図４】（ａ）はスカート部から支持部材等を取り外した状態を上方から視た平面図であり、（ｂ）は支持部材のみがスカート部に取り付けられた状態を上方から視た平面図である。
【図５】（ａ）は図３のＶＡ−ＶＡ線矢視断面図であり、（ｂ）は図３のＶＢ−ＶＢ線矢視断面図である。
【図６】第１変形例に係る糸止め装置の断面図である。
【図７】第２変形例に係る糸止め装置の断面図である。
【図８】第３変形例に係る糸止め装置の断面図である。
【図９】第４変形例に係る糸止め装置の断面図である。
【図１０】第５変形例に係る糸止め装置の断面図である。
【発明を実施するための形態】
【００２０】
実施形態に係る魚釣用スピニングリールについて図面を参照しながら説明する。
以下の説明において、「前後」「上下」を言うときは、図１に示した方向を基準とし、「左右」を言うときは、図３に示す方向を基準とする。
【００２１】
図１（ａ）に示すように、魚釣用スピニングリール１００は、ハンドル１ａが組み付けられたリール本体１と、ハンドル１ａの巻き取り操作により回転するロータ２と、ハンドル１ａの巻き取り操作により前後方向に往復運動するスプール３と、を備えている。
【００２２】
特に図示しないが、リール本体１には、前方へ延びて前端部にスプール３が取り付けられたスプール軸と、公知のオシレート機構と、が設けられている。ハンドル１ａの巻き取り操作が行われると、オシレート機構がスプール軸を前後動させ、スプール軸に取り付けられたスプール３が前後動する（図１（ａ）の矢印Ａ参照）。
また、スプール軸とスプール３との間には、公知のドラグ機構が介在しており、釣糸にドラグ力以上の力が作用すると、スプール３がスプール軸回りに回動するようになっている。
【００２３】
スプール３は、釣糸が巻回される円筒状の釣糸巻回胴部４と、釣糸巻回胴部４の前端から径方向外側に立ち上がるリング状の前フランジ５と、釣糸巻回胴部４の後端から径方向外側に立ち上がるリング状の後フランジ６と、後フランジ６から後方に延びる略円筒状のスカート部７と、を備えている。
そして、図１（ａ），（ｂ）に示すように、スカート部７の外周部の前側に糸止め装置８が設けられている。
また、本実施形態の糸止め装置８は、スカート部７の外周部の上側に位置している。
なお、糸止め装置８は、スプール３の回動に対応して周方向に変位するため、スカート部７の外周部の下側などに位置する場合もある。
以下、糸止め装置８の構成の説明では、スカート部７の外周部の上側に位置している場合を挙げて説明する。
【００２４】
図２，図３に示すように、糸止め装置８は、スカート部７を貫通する貫通孔９と、貫通孔９を閉塞する支持部材１０と、支持部材１０の前側（一端部）を貫通する支軸部２２が形成された糸止め部材２０と、糸止め部材２０がスカート部７から分離することを防止するための係合部材２７と、支持部材１０が貫通孔９の貫通方向（上下方向）に移動することを規制する規制部４０と、を備えている。
【００２５】
（貫通孔）
貫通孔９は、スカート部７の外周部の上側を径方向に貫通している。よって、貫通孔９の向き（貫通方向）は、上下方向となっている。
図４（ａ）に示すように、貫通孔９の左右方向（周方向）の幅は、後方に向って次第に狭くなっている。よって、貫通孔９の開口部は、略台形状を呈している。
【００２６】
ここで、本実施形態の貫通孔９は、製造時に円筒状のスカート部７の前部を略Ｃ字状に切り（破線Ｂ１、Ｂ２、Ｂ３参照）、その略Ｃ字状の内部を取り除くことで、貫通孔９が形成されている。
よって、貫通孔９の周縁部（スカート部７の切り口）は、左右方向（周方向）に延びて貫通孔９の後縁を形成する後縁部９ａと、後縁部９ａの右端から前方に延びて貫通孔９の右縁を形成する右縁部９ｂと、後縁部９ａの左端から前方に延びて貫通孔９の左縁を形成する左縁部９ｃと、を有している。
【００２７】
また、貫通孔９を形成する際、後フランジ６の前面６ａから後方のスカート部７に向って切っているため、後フランジ６の一部が切り欠かれている。
このため、後フランジ６の外周面には、他の部位よりも径方向内方に凹む面（以下、当接面６ｂと称する）が形成されている（図２参照）。
【００２８】
（支持部材）
支持部材１０は、糸止め部材２０を支持するとともに貫通孔９を閉塞する樹脂部材であり、平板状を呈している。
図４（ｂ）に示すように、支持部材１０の外形は、貫通孔９に対応し、略台形状に形成されている。
このため、支持部材１０の後端面１２は、貫通孔の後縁部９ａに当接している（図２参照）。支持部材１０の右端面１３は、貫通孔の右縁部９ｂに当接している（図５（ａ）参照）。さらに、支持部材１０の左端面１４は、貫通孔の左縁部９ｃに当接している（図５（ａ）参照）。
以上から、支持部材１０と貫通孔９の周縁部との間は封止されている。
【００２９】
また、貫通孔９内に取り付ける前の支持部材１０の左右方向の幅は、貫通孔９の左右方向の幅よりも僅かに大きく形成されている。
このため、支持部材１０の右端面１３及び左端面１４は、貫通孔９の右縁部９ｂ及び左縁部９ｃに圧接した状態（図５（ａ）の矢印Ｃ参照）で取り付けられている。
以上から、支持部材１０の右端面１３及び左端面１４と、貫通孔９の周縁部（右縁部９ｂ，左縁部９ｃ）との間に隙間が生じ難く、シール性が高くなっている。
【００３０】
図２に示すように、支持部材１０の前部１１の下面１１ａは、後フランジ６の当接面６ｂに当接している。よって、支持部材１０と後フランジ６との間が封止されている。
【００３１】
図２に示すように、支持部材１０の上面の中央部は、下方に凹む凹面１５になっている。このため、糸止め部材２０の後述する釣糸係止部２１は、凹面１５が形成されない場合よりも径方向内方に位置している。
また、凹面１５は、支持部材１０の前端まで形成されている。このため、釣糸巻回胴部４に巻回された釣糸を凹面１５上に配索し易くなっている。
【００３２】
図４（ｂ）に示すように、凹面１５には、平面視で略Ｔ状の孔部１６が形成されている。この孔部１６は、糸止め部材２０をスカート部７に取り付ける場合、支軸部２２等を挿通させるための孔である。
なお、孔部１６において、前側に位置し左右方向の長さが長い方を前孔部１６ａと称し、後ろ側に位置し左右方向の長さが短い方を後孔部１６ｂと称する。
また、前孔部１６ａには、糸止め部材２０の支軸部２２（図２参照）が挿通され、後孔部１６ｂには、糸止め部材２０の後述する折り返し部２６（図２参照）が挿通される。
【００３３】
（糸止め部材）
図２に示すように、糸止め部材２０は、支持部材１０の上側（径方向外側）に配置される釣糸係止部２１と、釣糸係止部２１から下側（径方向内方）に延びる支軸部２２と、支軸部２２の下端から上側に折り返された略Ｕ字状の折り返し部２６と、を備えている。
【００３４】
釣糸係止部２１は、支持部材１０の凹面１５との間で釣糸を挟持するためのものであり、釣糸係止部２１の下面２１ａは、凹面１５に当接している。
図３に示すように、釣糸係止部２１は、平面視で矩形状を呈している。
釣糸係止部２１は、支軸部２２が接続する基部２３と、基部２３から左側に延びる左挟持部２４と、基部２３から右側に延びる右挟持部２５と、を備えており、左右方向に比較的長く形成されている。
そして、左挟持部２４と凹面１５との間で釣糸を挟持したり（図３のＤ１参照）、又は右挟持部２５と凹面１５との間で釣糸を挟持したり（図３のＤ２参照）できるようになっている。
【００３５】
なお、本実施形態の挟持部（左挟持部２４、右挟持部２５）は、基部２３に対し左右方向に延在しているが、従来の挟持部は、基部に対し後方に延在している。
このため、本実施形態の釣糸係止部２１は、従来の釣糸係止部よりも前後方向の長さが短くなっている。この結果、支持部材１０を含む糸止め装置８の前後方向の長さは、従来のものよりも短くなっており、ひいては、スカート部７の前後方向の長さも従来のものよりも短くなっている。
【００３６】
図２に示すように、支軸部２２は、支持部材１０の前端側に位置する前孔部１６ａを貫通し、スカート部７内に延出している。
支軸部２２の前面２２ａは、後フランジ６の後面６ｃに当接している。このため、糸止め部材２０は前方へ移動しないように規制されている。
【００３７】
図５（ａ）に示すように、支軸部２２は、左右方向に長く形成され、板状を呈している。また、支軸部２２の左右方向の長さは、前孔部１６ａと同一に形成されている。
よって、支持部材１０の前孔部１６ａに貫通している支軸部２２が後孔部１６ｂ（図４（ｂ）参照）の方に移動しないように、言い換えると、支持部材１０が前方に移動しないようになっている。
【００３８】
（係合部材）
図５（ａ）に示すように、係合部材２７は、左右方向に延在し弾性変形可能な線材（ばね部材）であり、支軸部２２の引っ掛け部２６を下方（径方向内方）に付勢するように変形させて組み付けられている。
具体的に、係合部材２７の両端部２７ｂ，２７ｂがスカート部７の内周面７ｂに当接し、係合部材２７の中央部２７ａが折り返し部２６に引っ掛かり、糸止め部材２０を下方に向って常時付勢するように組み付けられている（矢印Ｅ参照）。
このため、釣糸係止部２１の左挟持部２４（又は右挟持部２５）と支持部材１０の凹面１５との間に挿入された釣糸は、係合部材２７の弾性力に強く挟持される。
【００３９】
（規制部）
図３に示すように、規制部４０は、支持部材１０の前側が貫通方向である上下方向に移動することを規制する第１規制部４１と、支持部材１０の後側が上下方向に移動することを規制する第２規制部４２と、支持部材１０の側部側が上下方向に移動することを規制する第３規制部４３と、を備えている。
【００４０】
（第１規制部）
図２に示すように、第１規制部４１は、後フランジ６の当接面６ｂと糸止め部材２０の釣糸係止部２１とにより構成されている。
当接面６ｂは、支持部材１０の前部１１の下面１１ａに当接しており、支持部材１０が下側（径方向内方）に移動することを規制している。
釣糸係止部２１は、支持部材１０の上面（凹面１５）の前側に当接しており、支持部材１０が上側（径方向外側）に移動することを規制している。
以上から、支持部材１０の前部１１は、第１規制部４１により上下方向（径方向）に移動しないように規制されている。
【００４１】
また、釣糸係止部２１は、係合部材２７により下方（径方向内方）に常時付勢されていることから、釣糸係止部２１が支持部材１０の前部１１を下方に当接している。
このため、支持部材１０の前部１１は、当接面６ｂと糸止め部材２０とにより上下方向に強く挟持されている。この結果、支持部材１０がスプール３に固定される固定強度が高くなっている。
そのほか、釣糸係止部２１が支持部材１０を下方に押圧していることから、支持部材１０と当接面６ｂとの間には隙間が生じ難く、シール性が高くなっている。
【００４２】
（第２規制部）
第２規制部４２は、支持部材１０の後端部に形成された凹部４４と、スカート部７に形成された凸部４５とにより構成されている。
本実施形態において、凹部４４は、後端面１２の上端と下端に、後方に突出する突起４４ａ、４４ａを設けることで構成されている。
凸部４５は、貫通孔９の後縁部９ａであり、凹部４４内に嵌合し、支持部材１０とスカート部７とが上下方向に係合している。
以上から、支持部材１０の後側は、第２規制部４２により上下方向（径方向）への移動が規制されている。
そのほか、図４（ｂ）に示すように、凹部４４は、後端面１２の左右方向（周方向）に亘って形成されている。このため、異物が支持部材１０の後端面１２と貫通孔９の後縁部９ａとの間を通過し難く、シール性が高くなっている。
【００４３】
（第３規制部）
図５（ｂ）に示すように、第３規制部４３は、支持部材１０の右端面１３及び左端面１４に形成された凹部４６と、スカート部７に形成された凸部４７とにより構成されている。
凹部４６は、右端面１３の上端と下端に、周方向外側に突出する突起４６ａ、４６ａが設けられることで構成されている。
凸部４７は、貫通孔９の右縁部９ｂ又は左縁部９ｃであり、凹部４６内に嵌合し、支持部材１０とスカート部７とが上下方向に係合している。
以上から、支持部材１０の右側及び左側は、第３規制部４３により上下方向（径方向）への移動が規制されている。
なお、図４（ｂ）に示すように、凹部４６は、支持部材１０の右端面１３及び左端面１４において、前後方向の一部にのみ形成されている。
【００４４】
ここで、上記した第２規制部４２、第３規制部４３によれば、支持部材１０の端面に凹部４４，４６が形成され、平面視で支持部材１０の外形は貫通孔９の外形よりも大きい。
よって、支持部材１０の取付方法として、第１に、支持部材１０を左右方向から湾曲（変形）させ、貫通孔９の上方から貫通孔９内に挿入し、変形を解除して左右の凹部４６，４６を貫通孔９の右縁部９ｂ，左縁部９ｃに係合させた後、支持部材１０を後方に移動させて凹部４４を貫通孔９の後縁部９ａに係合させる方法が挙げられる。
第２に、後フランジ６の前面６ａの前方に支持部材１０を配置し、後フランジ６の前面６ａに支持部材１０の下面の後端部を乗せてそのまま後方にスライド移動させる方法が挙げられる。第２の方法によれば、スライド移動の途中で、左右の凹部４６，４６内に、貫通孔９の右縁部９ｂ，左縁部９ｃが挿入され、最後に凹部４４内に後縁部９ａが挿入されるようになる。
そのほか、支持部材１０は、弾性変形する樹脂からなるため、凹部４４，４６を変形させながら、貫通孔９内に支持部材１０を押し込んでもよい。
【００４５】
以上、実施形態によれば、支持部材１０が貫通孔９を閉塞し、かつ、支持部材１０と貫通孔９の周縁部との間のシール性が高いことから、スカート部７（本体部）内に異物が侵入しないようになっている。
【００４６】
また、実施形態によれば、第１規制部４１は、当接面６ｂと糸止め部材２０とにより構成されている。第２規制部４２，第３規制部４３は、凹部４４，４６と凸部４５，４７により構成されている。よって、簡易な構造により支持部材１０をスプール３に固定することができる。
【００４７】
以上、実施形態について説明したが、本発明は実施形態で説明した例に限定されない。
例えば、本実施形態の規制部４０は、第３規制部４３を備えているが、本発明は第３規制部４３を備えていなくてもよい。第１規制部４１及び第２規制部４２を備えていれば、支持部材１０をスカート部７に十分に固定できるからである。
また、本実施形態では、糸止め装置８を魚釣用スピニングリールに設けた例を挙げて説明したが、本発明の糸止め装置は両軸型の魚釣用リール（ベイトリール）の側板に設けてもよい。
【００４８】
また、本実施形態の係合部材２７は、弾性変形可能な線材（ばね部材）を用いているが、例えば、図６に示すように、係合部材２７Ａは、支軸部２２Ａを貫通し、後フランジ６Ａの後面６ｃに突き刺さるピン部材であってもよい。
なお、このようなピン部材を用いた場合、支持部材１０と釣糸係止部２１とに釣糸を挟持させると、ばね部材の代わりに左挟持部２４又は右挟持部２５が変形する。
【００４９】
また、本実施形態において、貫通孔９の後縁部９ａの切り口は、スカート部７を構成する壁部の肉厚方向（径方向）に延びるように形成されているが（図２参照）、本発明はこれに限定されない。
例えば、図６に示すように、貫通孔９の後縁部９ａの切り口９ｄを、スカート部７を構成する壁部に対して斜めに形成してもよい。これによれば、後縁部９ａにバリが発生し難くなるため、好ましい。
また、貫通孔９の後縁部９ａの切り口９ｄが斜めの場合において、凹部４４Ａは、断面視Ｃ字状の凹部でなく、後縁部９ａの下面に当接する第１突起４９と、後縁部の切り口に９ｄに当接する第２突起５０と、を備えた略Ｖ字状の凹部であってもよい。
【００５０】
また、本実施形態の第２規制部４２は、支持部材１０の後側に凹部４４が形成され、スカート部７に凸部４５が形成されているが、図７に示すように、本発明は、凹部４４Ａをスカート部７Ｂに形成し、凸部４５Ｂを支持部材１０の後ろ側に形成してもよい。
なお、このような変形例によれば、貫通孔９の後縁部９ａの厚みＬ１は、凹部４４Ａを構成する上下の第３突起５１、第４突起５２と、凸部４５Ａを足し合わせた厚みとなる。
よって、図８に示すように、スカート部７Ｃ側に凹部４４Ｃを形成する場合、貫通孔９の後縁部９ａの部分のみが肉厚となるように形成することが好ましい。この変形例によれば、スカート部７Ｃの軽量化を図れる。
【００５１】
また、本実施形態では、支持部材１０の上面に凹面１５を形成することで、糸止め部材２０の釣糸係止部２１を径方向内方寄りに配置しているが、図９に示すように、支持部材１０の代わりにスカート部７Ｄの方に径方向内方に凹む凹部１５Ｄを形成してもよい。
なお、本発明は、図１０に示すように、凹面１５や凹部１５Ｄが形成されていない支持部材１０Ｅやスカート部７Ｅを用いてもよい。
【００５２】
そのほか、図９に示すように、凹部４４Ｄを構成する下側突起５４の下面５４ａを斜めに形成してもよい。これによれば、支持部材１０Ｄを貫通孔９の上方に配置し、次に下側突起５４の下面５４ａを貫通孔９の後縁部９ａに押し付けながら支持部材１０Ｄを貫通孔９内に挿入すると、下側突起５４が変形して後縁部９ａの下側に回り込むため、取り付け作業が容易となる。
【符号の説明】
【００５３】
１      リール本体
３      スプール
６      後フランジ
６ｂ    当接面
７，７Ａ，７Ｂ，７Ｃ，７Ｄ，７Ｅ  スカート部
８      糸止め装置
９      貫通孔
９ａ    後縁部
９ｂ    右縁部
９ｃ    左縁部
１０，１０Ａ，１０Ｂ，１０Ｃ，１０Ｄ，１０Ｅ  支持部材
１１    前部
１２    後端面（他端部）
１３    右端面（側部）
１４    左端面（側部）
１５    凹面
１６    孔部
２０    糸止め部材
２１    釣糸係止部
２２    支軸部
２７，２７Ａ  係合部材
４０    規制部
４１    第１規制部
４２    第２規制部
４３    第３規制部
４４，４４Ａ，４４Ｂ，４４Ｃ，４４Ｄ，４６  凹部
４５，４５Ａ，４５Ｂ，４５Ｃ，４５Ｄ，４７  凸部
【図１】
2018050552.tif 000003
【図２】
2018050552.tif 000004
【図３】
2018050552.tif 000005
【図４】
2018050552.tif 000006
【図５】
2018050552.tif 000007
【図６】
2018050552.tif 000008
【図７】
2018050552.tif 000009
【図８】
2018050552.tif 000010
【図９】
2018050552.tif 000011
【図１０】
2018050552.tif 000012